(57)【要約】  【課題】適切な連続炊飯作業ができる連続炊飯機を提供する。  【解決手段】  連続炊飯機１は、炊飯釜２の底面部６を加熱する第１底面用コイル41を備える。連続炊飯機１は、互いに離間対向して配置され炊飯釜２の搬送方向Ｘ両側の側面部７を加熱する対をなす第１側面用コイル42を備える。第１底面用コイル41は、平面視で対をなす第１側面用コイル42間に位置するように配置する。第１底面用コイル41の加熱力および第１側面用コイル42の加熱力は、それぞれ個別に調節可能である。  【選択図】図１
2005052527.tif 000002
【特許請求の範囲】
【請求項１】
炊飯釜を搬送方向に移動させながら加熱する連続炊飯機であって、
炊飯釜の底面部を加熱する底面用誘導加熱コイルと、
互いに離間対向して配置され炊飯釜の搬送方向両側の側面部を加熱する対をなす側面用誘導加熱コイルとを備え、
前記底面用誘導加熱コイルの加熱力および前記側面用誘導加熱コイルの加熱力は、それぞれ個別に調節可能となっている
ことを特徴とする連続炊飯機。
【請求項２】
炊飯釜を搬送方向に移動させながら加熱部で加熱する連続炊飯機であって、
前記加熱部は、搬送方向上流側に位置する炊飯加熱部と、搬送方向下流側に位置する蒸らし加熱部とを具備し、
前記炊飯加熱部は、炊飯釜の底面部を加熱する底面用誘導加熱コイルと、互いに離間対向して配置され炊飯釜の搬送方向両側の側面部を加熱する対をなす側面用誘導加熱コイルとを備え、
前記底面用誘導加熱コイルの加熱力および前記側面用誘導加熱コイルの加熱力は、それぞれ個別に調節可能となっている
ことを特徴とする連続炊飯機。
【請求項３】
底面用誘導加熱コイルおよび側面用誘導加熱コイルには、別々のインバータが接続されている
ことを特徴とする請求項１または２記載の連続炊飯機。
【請求項４】
底面用誘導加熱コイルは、炊飯釜の搬送方向に沿って複数配設され、これら複数の底面用誘導加熱コイルには別々のインバータが接続されている
ことを特徴とする請求項１ないし３のいずれか一記載の連続炊飯機。
【請求項５】
側面用誘導加熱コイルは、炊飯釜の搬送方向に沿って複数配設され、これら複数の側面用誘導加熱コイルには別々のインバータが接続されている
ことを特徴とする請求項１ないし４のいずれか一記載の連続炊飯機。
【発明の詳細な説明】
【技術分野】
【０００１】
本発明は、適切な連続炊飯作業ができる連続炊飯機に関するものである。
【背景技術】
【０００２】
従来、例えば３種類の誘導加熱コイル、すなわち炊飯釜の底面部および側面部を加熱する底側面加熱コイルと、炊飯釜の側面部を加熱する側面加熱コイルと、炊飯釜の底面部を加熱する底面加熱コイルとを備え、これら３種類の誘導加熱コイルをＵ溝状の保護枠の外周部に搬送方向に並べて配置した構造の連続炊飯機が知られている（例えば、特許文献１参照。）。
【特許文献１】特開２００３−１１１６７０号公報
【発明の開示】
【発明が解決しようとする課題】
【０００３】
しかしながら、上記従来の連続炊飯機では、例えば炊飯釜の底面部と側面部を常に加熱させていないとともに、炊飯釜の底面部と側面部を同時に加熱するよう配置されている底側面加熱コイルにおいては底面加熱部分と側面加熱部分は常に同じ加熱力で炊飯釜の底面部と側面部を加熱しており、炊飯釜の底面部と側面部を異なった加熱力で加熱調節できるようになっておらず、このため例えば米の種類および調味材料等を添加した米飯に対応できない場合等があり、適切な連続炊飯作業ができないおそれがある。
【０００４】
本発明は、このような点に鑑みなされたもので、適切な連続炊飯作業ができる連続炊飯機を提供することを目的とする。
【課題を解決するための手段】
【０００５】
請求項１記載の連続炊飯機は、炊飯釜を搬送方向に移動させながら加熱する連続炊飯機であって、炊飯釜の底面部を加熱する底面用誘導加熱コイルと、互いに離間対向して配置され炊飯釜の搬送方向両側の側面部を加熱する対をなす側面用誘導加熱コイルとを備え、前記底面用誘導加熱コイルの加熱力および前記側面用誘導加熱コイルの加熱力は、それぞれ個別に調節可能となっているものである。
【０００６】
そして、底面用誘導加熱コイルの加熱力および側面用誘導加熱コイルの加熱力をそれぞれ個別に調節できるため、適切な連続炊飯作業をすることが可能となる。
【０００７】
請求項２記載の連続炊飯機は、炊飯釜を搬送方向に移動させながら加熱部で加熱する連続炊飯機であって、前記加熱部は、搬送方向上流側に位置する炊飯加熱部と、搬送方向下流側に位置する蒸らし加熱部とを具備し、前記炊飯加熱部は、炊飯釜の底面部を加熱する底面用誘導加熱コイルと、互いに離間対向して配置され炊飯釜の搬送方向両側の側面部を加熱する対をなす側面用誘導加熱コイルとを備え、前記底面用誘導加熱コイルの加熱力および前記側面用誘導加熱コイルの加熱力は、それぞれ個別に調節可能となっているものである。
【０００８】
そして、炊飯加熱部が底面用誘導加熱コイルと側面用誘導加熱コイルとを備え、底面用誘導加熱コイルの加熱力および側面用誘導加熱コイルの加熱力をそれぞれ個別に調節できるため、適切な連続炊飯作業をすることが可能となる。
【０００９】
請求項３記載の連続炊飯機は、請求項１または２記載の連続炊飯機において、底面用誘導加熱コイルおよび側面用誘導加熱コイルには、別々のインバータが接続されているものである。
【００１０】
そして、インバータのインバータ出力の変更により底面用誘導加熱コイルの加熱力および側面用誘導加熱コイルの加熱力がそれぞれ個別に調節される。
【００１１】
請求項４記載の連続炊飯機は、請求項１ないし３のいずれか一記載の連続炊飯機において、底面用誘導加熱コイルは、炊飯釜の搬送方向に沿って複数配設され、これら複数の底面用誘導加熱コイルには別々のインバータが接続されているものである。
【００１２】
そして、インバータのインバータ出力の変更により搬送方向に沿った複数の底面用誘導加熱コイルの加熱力がそれぞれ個別に調節される。
【００１３】
請求項５記載の連続炊飯機は、請求項１ないし４のいずれか一記載の連続炊飯機において、側面用誘導加熱コイルは、炊飯釜の搬送方向に沿って複数配設され、これら複数の側面用誘導加熱コイルには別々のインバータが接続されているものである。
【００１４】
そして、インバータのインバータ出力の変更により搬送方向に沿った複数の側面用誘導加熱コイルの加熱力がそれぞれ個別に調節される。
【発明の効果】
【００１５】
請求項１記載の連続炊飯機によれば、底面用誘導加熱コイルの加熱力および側面用誘導加熱コイルの加熱力をそれぞれ個別に調節できるため、適切な連続炊飯作業ができる。
【００１６】
請求項２記載の連続炊飯機によれば、炊飯加熱部が底面用誘導加熱コイルと側面用誘導加熱コイルとを備え、底面用誘導加熱コイルの加熱力および側面用誘導加熱コイルの加熱力をそれぞれ個別に調節できるため、適切な連続炊飯作業ができる。
【００１７】
請求項３記載の連続炊飯機によれば、インバータのインバータ出力の変更により底面用誘導加熱コイルの加熱力および側面用誘導加熱コイルの加熱力をそれぞれ個別に調節できる。
【００１８】
請求項４記載の連続炊飯機によれば、インバータのインバータ出力の変更により搬送方向に沿った複数の底面用誘導加熱コイルの加熱力をそれぞれ個別に調節できる。
【００１９】
請求項５記載の連続炊飯機によれば、インバータのインバータ出力の変更により搬送方向に沿った複数の側面用誘導加熱コイルの加熱力をそれぞれ個別に調節できる。
【発明を実施するための最良の形態】
【００２０】
本発明の連続炊飯機の一実施の形態を図面を参照して説明する。
【００２１】
図１ないし図３において、１は連続炊飯機（連続式ＩＨ炊飯機）で、この連続炊飯機１は、炊飯釜２を搬送部３で略水平の搬送方向Ｘに間欠的に移動させながら加熱部４で加熱して、連続炊飯作業を行うものである。
【００２２】
なお、炊飯釜２は、略矩形状の上面開口を有する外形略直方体状のもので、略矩形板状の底面部６を有している。底面部６の外周端部からは急斜面状の側面部７が外斜め上方に向って突出し、側面部７の上周端部が上面開口縁部８となっている。上面開口縁部８の搬送方向Ｘ両側からは取手部９が外側方に向って突出している。そして、炊飯釜２の上面開口は、炊飯作業時には蓋（図示せず）にて開閉可能に閉鎖される。
【００２３】
連続炊飯機１は、搬送方向Ｘに長手状で中空状の機枠11を備えている。機枠11には、加熱室（釜搬送路）12、釜入口13および釜出口14がそれぞれ形成されている。そして、機枠11の内側に形成された加熱室12の上方部は、取手15が付いた開閉可能な天蓋16にて覆われている。また、加熱室12の一端に連通した釜入口13は機枠11の長手方向一端部で常時開口し、加熱室12の他端に連通した釜出口14は機枠11の長手方向他端部で常時開口している。
【００２４】
また、機枠11には、駆動手段である駆動モータ21からの動力に基づいて回転する複数の回転体であるスプロケット22が回転可能に設けられている。そして、スプロケット22には、炊飯釜２を両側の取手部９を介して支持した状態で略水平の搬送方向Ｘに移動させる搬送用無端体であるチェーン23が巻き掛けられている。なお、駆動モータ21、スプロケット22およびチェーン23にて、炊飯釜２を搬送方向Ｘに搬送するチェーンコンベヤ式の搬送部３が構成されている。
【００２５】
また一方、機枠11は、搬送方向Ｘに長手状で縦断面略Ｕ字状のコイル支持部31を内側に有し、このコイル支持部31に搬送方向Ｘに移動中の炊飯釜２を加熱する加熱部４が加熱室12に臨んだ状態に設けられている。なお、コイル支持部31は、水平状の底板部32と、この底板部32の長手方向に沿った両側端部から上方に向って突出した側板部33とにて構成されている。
【００２６】
そして、コイル支持部31にて支持された加熱部４は、機枠11の内側において搬送方向Ｘ上流側に位置する高周波誘導加熱式つまりいわゆるＩＨ式の炊飯加熱部（第１加熱部）36と、機枠11の内側において搬送方向Ｘ下流側に位置するＩＨ式の蒸らし加熱部（第２加熱部）37とを具備している。なお、炊飯加熱部36は、沸騰付近までの加熱処理を行うものであり、蒸らし加熱部37は、沸騰付近以降での加熱処理を行うものである。
【００２７】
ここで、炊飯加熱部36は、炊飯釜２の底面部６を加熱する複数（例えば搬送方向Ｘに沿った前後方向に複数、例えば４つ並び、かつ、搬送方向Ｘと直交する方向である左右方向に複数、例えば２つ並んだ、合計８つ）の略矩形板状の底面用誘導加熱コイルである第１底面用コイル41を備えている。
【００２８】
第１底面用コイル41は、機枠11のコイル支持部31の底板部32の上面側に搬送方向Ｘに対して複数列状に設けられている。そして、第１底面用コイル41は、加熱室12内を搬送方向Ｘに移動中の炊飯釜２の底面部６と所定間隔を介して対向するように、コイル支持部31の底板部32にて水平状に支持されている。
【００２９】
また、炊飯加熱部36は、互いに離間対向して配置され炊飯釜２の搬送方向Ｘ両側（搬送方向Ｘに対して左右両側）の側面部７を加熱する対（例えば左右４対で、合計８つ）をなす略矩形板状の側面用誘導加熱コイルである第１側面用コイル42を備えている。
【００３０】
搬送方向Ｘ一方側である右側（図３中、下側）で前後方向に並んだ４つの第１側面用コイル42は、機枠11のコイル支持部31の搬送方向Ｘ右側の側板部33の内面側に搬送方向Ｘに対して１列状に設けられている。そして、搬送方向Ｘ右側の第１側面用コイル42は、加熱室12内を搬送方向Ｘに移動中の炊飯釜２の搬送方向Ｘ右側の側面部７と所定間隔を介して対向するように、コイル支持部31の搬送方向Ｘ右側の側板部33にて傾斜状に支持されている。
【００３１】
同様に、搬送方向Ｘ他方側である左側（図３中、上側）で前後方向に並んだ４つの第１側面用コイル42は、機枠11のコイル支持部31の搬送方向Ｘ左側の側板部33の内面側に搬送方向Ｘに対して１列状に設けられている。そして、搬送方向Ｘ左側の第１側面用コイル42は、加熱室12内を搬送方向Ｘに移動中の炊飯釜２の搬送方向Ｘ左側の側面部７と所定間隔を介して対向するように、コイル支持部31の搬送方向Ｘ左側の側板部33にて傾斜状に支持されている。
【００３２】
そして、第１底面用コイル41は、平面視で対をなす第１側面用コイル42間に位置するように配置されている。すなわち、左右方向に並んだ第１底面用コイル41は、前後方向の位置（搬送方向Ｘの位置）が略等しい左右対をなす第１側面用コイル42間に平面視で位置するように配置されている。
【００３３】
なお、第１底面用コイル41の外形寸法は炊飯釜２の搬送方向Ｘと直交する幅寸法では２つ並べることで底面部６略全体と対向できるようにし、第１側面用コイル42の外形寸法は炊飯釜２の高さ寸法では炊飯釜２内に入っている被加熱材料の高さと同じ程度となる側面部７と対向できるようにしている。また、各コイル41，42は、その長辺方向が搬送方向Ｘに一致した状態で配置されている。さらに、コイル41，42の搬送方向Ｘの長さ寸法は、１個の炊飯釜２の搬送方向Ｘの長さ寸法と略同じである。なお、後述の蒸らし加熱部37のコイル51，52についても同様である。
【００３４】
また、第１底面用コイル41の加熱力および第１側面用コイル42の加熱力は、それぞれ個別に調節可能となっている。
【００３５】
すなわち、図３に示されるように、搬送方向Ｘ最上流の２つの第１底面用コイル41には、両コイル41に電力を供給する第１インバータ401が接続されており、搬送方向Ｘ最上流の２つの第１側面用コイル42には、両コイル42に電力を供給する第２インバータ402が接続されている。また、搬送方向Ｘ最上流から２番目の２つの第１底面用コイル41には、両コイル41に電力を供給する第３インバータ403が接続されており、搬送方向Ｘ最上流から２番目の２つの第１側面用コイル42には、両コイル42に電力を供給する第４インバータ404が接続されている。さらに、搬送方向Ｘ最上流から３番目の２つの第１底面用コイル41には、両コイル41に電力を供給する第５インバータ405が接続されており、搬送方向Ｘ最上流から３番目の２つ第１側面用コイル42には、両コイル42に電力を供給する第６インバータ406が接続されている。また、搬送方向Ｘ最上流から４番目の２つの第１底面用コイル41には、両コイル41に電力を供給する第７インバータ407が接続されており、搬送方向Ｘ最上流から４番目の２つ第１側面用コイル42には、両コイル42に電力を供給する第８インバータ408が接続されている。
【００３６】
このように、搬送方向Ｘ上流側の炊飯加熱部36では、左右両側の第１側面用コイル42とこれら左右両側の第１側面用コイル42間の第１底面用コイル41とには別々のインバータ401，402，…，408が接続され、この個々のインバータ401，402，…，408のインバータ出力の変更により第１底面用コイルの加熱力および第１側面用コイルの加熱力をそれぞれ個別に調節できるようになっている。すなわち、炊飯釜２の底面部６への加熱力と炊飯釜２の左右両側の側面部７への加熱力とを、それぞれ個別に調節できるようになっている。
【００３７】
また、炊飯釜２の搬送方向Ｘにおいても、炊飯釜２が間欠的に移動していく各地点（ゾーン）で、第１底面用コイル41の加熱力および第１側面用コイル42の加熱力は、個々のインバータとの接続によりそれぞれ個別に調節できるようになっている。すなわち、炊飯釜２の搬送方向Ｘに沿った複数の第１底面用コイル41の加熱力はそれぞれ個別に調節可能でありかつ炊飯釜２の搬送方向Ｘに沿った複数の第１側面用コイル42の加熱力はそれぞれ個別に調節可能である。なお、後述の蒸らし加熱部37のコイル51，52についても同様である。
【００３８】
一方、蒸らし加熱部37は、炊飯釜２の底面部６を加熱する複数（例えば搬送方向Ｘに沿った前後方向に複数、例えば４つ並び、かつ、搬送方向Ｘと直交する方向である左右方向に複数、例えば２つ並んだ、合計８つ）の略矩形板状の底面用誘導加熱コイルである第２底面用コイル51を備えている。
【００３９】
第２底面用コイル51は、機枠11のコイル支持部31の底板部32の上面側に搬送方向Ｘに対して複数列状に設けられている。そして、第２底面用コイル51は、加熱室12内を搬送方向Ｘに移動中の炊飯釜２の底面部６と所定間隔を介して対向するように、コイル支持部31の底板部32にて水平状に支持されている。
【００４０】
また、蒸らし加熱部37は、互いに離間対向して配置され炊飯釜２の搬送方向Ｘ両側（搬送方向Ｘに対して左右両側）の側面部７を加熱する対（例えば左右４対で、合計８つ）をなす略矩形板状の側面用誘導加熱コイルである第２側面用コイル52を備えている。
【００４１】
搬送方向Ｘ一方側である右側（図３中、下側）で前後方向に並んだ４つの第２側面用コイル52は、機枠11のコイル支持部31の搬送方向Ｘ右側の側板部33の内面側に搬送方向Ｘに対して１列状に設けられている。そして、搬送方向Ｘ右側の第２側面用コイル52は、加熱室12内を搬送方向Ｘに移動中の炊飯釜２の搬送方向Ｘ右側の側面部７と所定間隔を介して対向するように、コイル支持部31の搬送方向Ｘ右側の側板部33にて傾斜状に支持されている。
【００４２】
同様に、搬送方向Ｘ他方側である左側（図３中、上側）で前後方向に並んだ４つの第２側面用コイル52は、機枠11のコイル支持部31の搬送方向Ｘ左側の側板部33の内面側に搬送方向Ｘに対して１列状に設けられている。そして、搬送方向Ｘ左側の第２側面用コイル52は、加熱室12内を搬送方向Ｘに移動中の炊飯釜２の搬送方向Ｘ左側の側面部７と所定間隔を介して対向するように、コイル支持部31の搬送方向Ｘ左側の側板部33にて傾斜状に支持されている。
【００４３】
そして、第２底面用コイル51は、平面視で対をなす第２側面用コイル52間に位置するように配置されている。すなわち、左右方向に並んだ第２底面用コイル51は、前後方向の位置（搬送方向Ｘの位置）からの距離が略等しい左右対をなす第２側面用コイル52間に平面視で位置するように配置されている。
【００４４】
なお、図３に示されるように、搬送方向Ｘ最上流から５番目の４つのコイル（２つの第２底面用コイルと２つの第２側面用コイル）51，52には、それらコイル51，52に電力を供給する第９インバータ409が接続され、以下同様に、６番目の４つのコイル51，52には第１０インバータ4010が接続され、７番目の４つのコイル51，52には第１１インバータ4011が接続され、８番目（搬送方向Ｘ最下流）の４つのコイル51，52には第１２インバータ4012が接続されている。このため、搬送方向Ｘ下流側の蒸らし加熱部37では、炊飯加熱部36とは異なり、底面部６への加熱力および側面部７への加熱力は個別に調節できなくなっている。しかし、炊飯釜２の搬送方向Ｘにおいて、炊飯釜２が間欠的に移動していく各地点（ゾーン）で、第２底面用コイル51の加熱力および第２側面用コイル52の加熱力は、個々のインバータとの接続によりそれぞれ個別に調節できるようになっている。
【００４５】
また、複数（例えば１２）のインバータ401，402，…，4012には、各インバータ401，402，…，4012に制御信号を出力して各インバータ401，402，…，4012を制御する集中制御部である１つの制御手段（制御盤）55が接続されている。そして、制御手段55は、各インバータ401，402，…，4012のインバータ出力を炊飯対象物の種類（例えば白飯、チキンライス、五目ご飯）に対応した値に設定する設定部56を有している。
【００４６】
なお、各インバータ401，402，…，4012は、機枠11のインバータ収容部39内に収容されている。
【００４７】
さらに、図４（ａ）に示されるように、炊飯加熱部36では、搬送方向Ｘの位置が略等しい２つの第１底面用コイル41は直列に接続されており、互いに隣接した対向部分では加熱力が低下しないよう同一方向に電流が流れるようになっている。また、搬送方向Ｘの位置が略等しい２つの第１側面用コイル42も直列に接続されているが、両第１側面用コイル42は互いに離間して位置しているため、電流の流れ方向は問題とならない。さらに、図４（ｂ）から明らかなように、搬送方向Ｘの位置が略等しい４つのコイル41，42は、１個の炊飯釜２に対して底面部６および搬送方向Ｘ両側の側面部７を同時に加熱するようになっている。
【００４８】
また、図５（ａ）に示されるように、蒸らし加熱部37では、搬送方向Ｘの位置が略等しい４つのコイル51，52は直列に接続されており、互いに隣接した対向部分では加熱力が低下しないよう同一方向に電流が流れるようになっている。さらに、図５（ｂ）から明らかなように、搬送方向Ｘの位置が略等しい４つのコイル51，52は、１個の炊飯釜２に対して底面部６および搬送方向Ｘ両側の側面部７を同時に加熱するようになっている。
【００４９】
次に、上記連続炊飯機１の動作を説明する。
【００５０】
例えば白飯を炊飯する場合は、米および水を入れて蓋をした炊飯釜２を釜入口13から加熱室12内に供給し、その炊飯釜２を搬送部３で搬送方向Ｘに間欠的に移動させる。
【００５１】
炊飯釜２は、炊飯加熱部36の第１底面用コイル41および第１側面用コイル42にて第１底面用コイル41の加熱力を強めにして加熱されて炊飯加熱処理（沸騰付近までの加熱処理）され、その後、蒸らし加熱部37の第２底面用コイル51および第２側面用コイル52にて加熱されて蒸らし加熱処理（沸騰付近以降での加熱処理）される。
【００５２】
このとき、制御手段55は、設定部56にて設定された条件つまり白飯用の加熱条件に応じた制御信号を各インバータ401，402，…，4012に出力し、各インバータ401，402，…，4012は、その制御信号に基づき、図６に示すような値のインバータ出力を出力して、対応するコイル41，42，51，52に電力を供給する。
【００５３】
その結果、コイル41，42，51，52には高周波電流（例えば周波数２０kHz）が断続的に流れ、コイル41，42，51，52の周囲の磁力線が変化し、この磁力線の変化によって底面部６および左右両側の側面部７に渦電流が発生して、底面部６および左右両側の側面部７が加熱される。
【００５４】
なお、図６に示す丸数字は、図３に示す各インバータ401，402，…，4012に付された丸数字と対応するものである。例えば、搬送方向Ｘ最上流の２つの第１底面用コイル41に接続された第１インバータ401のインバータ出力は３．０ｋＷであり、搬送方向Ｘ最上流の２つの第１側面用コイル42に接続された第２インバータ402のインバータ出力は１．５ｋＷである。また、例えば、搬送方向Ｘ最上流から５番目の第２底面用コイル51および第２側面用コイル52に接続された第９インバータ409のインバータ出力は２．０ｋＷである。白飯の連続炊飯作業時において、各炊飯釜２の釜内温度は、図６中の点線のように変化する。
【００５５】
蒸らし処理後の炊飯釜２は、釜出口14から加熱室12外に排出され、次工程へ搬送されていく。
【００５６】
また、例えばチキンライスを炊飯する場合は、米、水、鶏肉、調味料等を入れて蓋をした炊飯釜２を釜入口13から加熱室12内に供給し、その炊飯釜２を搬送部３で搬送方向Ｘに間欠的に移動させる。
【００５７】
すると、前記白飯の場合と同様に、炊飯釜２は、炊飯加熱部36の加熱により炊飯加熱処理されることとなるが、白飯の時と比べて第１底面用コイル41の加熱力を多少弱めにするとともに第１側面用コイル42の加熱力を多少強めとなるようにして、その後、蒸らし加熱部37の加熱により蒸らし加熱処理されて次工程へ搬送されるが、制御手段55は、設定部56にて設定された条件つまりチキンライス用の加熱条件に応じた制御信号を各インバータ401，402，…，4012に出力するため、各インバータ401，402，…，4012は、図７に示すような値のインバータ出力をコイル41，42，51，52へ出力することとなる。
【００５８】
また、例えば五目ご飯を炊飯する場合は、米、水、調味料等を入れて蓋をした炊飯釜２を釜入口13から加熱室12内に供給し、その炊飯釜２を搬送部３で搬送方向Ｘに間欠的に移動させる。
【００５９】
すると、前記白飯の場合と同様に、炊飯釜２は、炊飯加熱部36の加熱により炊飯加熱処理されこととなるが、白飯の時と比べて第１底面用コイル41の加熱力を徐々に強めていくようにして、その後、蒸らし加熱部37の加熱により蒸らし加熱処理されて次工程へ搬送されるが、制御手段55は、設定部56にて設定された条件つまり五目ご飯用の加熱条件に応じた制御信号を各インバータ401，402，…，4012に出力するため、各インバータ401，402，…，4012は、図８に示すような値のインバータ出力をコイル41，42，51，52へ出力することとなる。
【００６０】
このようにして上記連続炊飯機１によれば、従来のＩＨ式の連続炊飯機とは異なり、例えば炊飯対象物の種類に対応して、炊飯加熱部36の第１底面用コイル41の加熱力および炊飯加熱部36の第１側面用コイル42の加熱力をそれぞれ個別に調節できるとともに、搬送方向Ｘに並んだ複数の底面用コイル41，51の加熱力をそれぞれ個別に調節できかつ搬送方向Ｘに並んだ複数の側面用コイル42，52の加熱力をそれぞれ個別に調節できるため、適切な連続炊飯作業ができる。
【００６１】
よって、例えば白飯だけでなく、チキンライスのように沈殿しやすく粘性の高い調味液を用いた際や、五目ご飯のように沈殿しやすい調味液を用いた際も、焦がさず、おいしく炊き上げることができる。
【００６２】
なお、連続炊飯機１は、炊飯釜２を搬送方向Ｘに間欠的に移動させながら加熱して連続炊飯作業を行うものには限定されず、例えば炊飯釜２を搬送方向Ｘに連続的に移動させながら加熱して連続炊飯作業を行うもの等でもよい。
【００６３】
また、搬送方向Ｘ上流側の炊飯加熱部36に加えて、搬送方向Ｘ下流側の蒸らし加熱部37においても、第２底面用コイル51の加熱力と第２側面用コイル52の加熱力とをそれぞれ個別に調節できるようにしてもよい。なお、炊飯釜２内が沸騰するまでの間（例えば加熱開始から１０分程度）については、底面用誘導加熱コイルの加熱力および側面用誘導加熱コイルの加熱力がそれぞれ個別に調節可能であることが好ましい。
【００６４】
さらに、コイル41，42，51，52は、略矩形板状の平板コイルにて構成されたものには限定されず、例えば略円形或いは略楕円形状の平板コイル等にて構成されたものでもよい。
【図面の簡単な説明】
【００６５】
【図１】本発明の連続炊飯機の一実施の形態を示す側面図である。
【図２】同上連続炊飯機の正面視断面図である。
【図３】同上連続炊飯機の加熱部のコイル展開図である。
【図４】（ａ）および（ｂ）は炊飯加熱部のコイルの説明図である。
【図５】（ａ）および（ｂ）は蒸らし加熱部のコイルの説明図である。
【図６】白飯を炊飯する場合の釜内温度およびインバータ出力を示すグラフである。
【図７】チキンライスを炊飯する場合の釜内温度およびインバータ出力を示すグラフである。
【図８】五目ご飯を炊飯する場合の釜内温度およびインバータ出力を示すグラフである。
【符号の説明】
【００６６】
１    連続炊飯機
２    炊飯釜
４    加熱部
６    底面部
７    側面図
36    炊飯加熱部
37    蒸らし加熱部
401，402，…，408    インバータ
41    底面用誘導加熱コイルである第１底面用コイル
42    側面用誘導加熱コイルである第１側面用コイル
Ｘ    搬送方向
【図１】
2005052527.tif 000003
【図２】
2005052527.tif 000004
【図３】
2005052527.tif 000005
【図４】
2005052527.tif 000006
【図５】
2005052527.tif 000007
【図６】
2005052527.tif 000008
【図７】
2005052527.tif 000009
【図８】
2005052527.tif 000010